(57)【特許請求の範囲】
【請求項１】
受皿部と該受皿部に連成された排水管部とを備え、露天床部に埋設施工されたルーフドレインの、その排水管部に仮設排水ホースを着脱可能に取り付けるためのものであって、
前記排水管部に外嵌又は内嵌される継手管の流入側端部に、前記排水管部の被嵌合周面に密嵌される環状パッキンを嵌装する一方、前記継手管の流出側端部を前記仮設排水ホースが外嵌される嵌合端とすると共に、
前記継手管の嵌合端の外周面に、継手管の軸線方向に沿う波状の凹凸面を形成したことを特徴とするルーフドレイン用仮設排水ホースの連結装置。
【発明の詳細な説明】
【０００１】
【発明の属する技術分野】
本発明は、ベランダ，バルコニー等の露天床部に埋設施工されたルーフドレインに樋管を取り付ける迄の間使用する仮設排水ホースの連結装置に関する。
【０００２】
【従来の技術】
一般に、建物の各階に形成されるベランダ，バルコニー等の露天床部における雨水の排水手段は、各階の露天床部にルーフドレインを埋設施工するとともに、各ルーフドレインに上下方向の樋管を取り付けて直列状に連通させてなり、雨水を導いて下水溝へ排水し得るようになっている。
【０００３】
かかる排水手段にあって、各ルーフドレインを連通する樋管は、各階の全てのルーフドレインを埋設施工した後で取り付けられるため、該樋管を取り付ける前に降雨があると、各ルーフドレインから流れ落ちる雨水によって、階下の露天床部が水浸しになってしまう。
【０００４】
そこで、従来は図６に示すように、露天床部ａにルーフドレインｂを埋設施工した後、ルーフドレインｂの排水管部ｃに仮設排水ホースｄを外嵌させて、該仮設排水ホースｄを紐，針金等の適宜の線材ｅで緊締して固定し、樋管を取り付ける迄の間、該仮設排水ホースｄによって雨水を外部に排水するようにしている。
【０００５】
【発明が解決しようとする課題】
ところが、上記のような従来構成にあっては、仮設排水ホースｄの取り付け及び取り外しに手間と時間が掛かり、作業性が悪いという問題点があった。
【０００６】
本発明は、かかる従来の実状に鑑みてその改善を試みたものであって、仮設排水ホースの着脱を簡単に行い得るルーフドレイン用仮設排水ホースの連結装置を提供することを目的とするものである。
【０００７】
【課題を解決するための手段】
本発明は、受皿部と該受皿部に連成された排水管部とを備え、露天床部に埋設施工されたルーフドレインの、その排水管部に仮設排水ホースを着脱可能に取り付けるためのものであって、前記排水管部に外嵌又は内嵌される継手管の流入側端部に、前記排水管部の被嵌合周面に密嵌される環状パッキンを嵌装する一方、前記継手管の流出側端部を前記仮設排水ホースが外嵌される嵌合端とすると共に、前記継手管の嵌合端の外周面に、継手管の軸線方向に沿う波状の凹凸面を形成したことを特徴とするルーフドレイン用仮設排水ホースの連結装置である。
【０００８】
かかる構成にあって、ルーフドレインの排水管部に、継手管の流入側端部を嵌合することにより、該流入側端部に嵌装されている環状パッキンがその弾性変形を介して排水管部の被嵌合周面に密嵌されて継手管が保持される。ここで、該継手管の流出側端部の嵌合端に外嵌される仮設排水ホースは、予め該嵌合端に取り付けておくことができるため、上記のように継手管をルーフドレインの排水管部に嵌合するだけで、該継手管を介して仮設排水ホースをルーフドレインの排水管部に簡単に装着することができる。また、この装着状態にあって、継手管の流入側端部をルーフドレインの排水管部から引き抜くことにより、該継手管とともに仮設排水ホースを簡単に取り外すことができる。
【０００９】
また、前記構成にあって、継手管の嵌合端を、その流出側に至るに従って次第に径小となるテーパ状に形成する構成が好適な実施態様として提案され得る。これにより、前記嵌合端に径の異なる仮設排水ホースを取り付けることが可能となる。
【００１０】
さらに、前記構成にあって、継手管の嵌合端の外周面に、継手管の軸線方向に沿う波状の凹凸面を形成している。このようにすれば、仮設排水ホースの外嵌時における水密性を高めることができるとともに、継手管からの仮設排水ホースの抜け止め作用を高めることができる。
【００１１】
【発明の実施の形態】
以下に、本発明の第１の実施例を、図１〜図３について説明する。
【００１２】
１は、ルーフドレインのドレイン本体であって、該ドレイン本体１は、受皿部２と該受皿部２に連成されて下方に延出された排水管部３とを備えてなる縦引きドレイン用として構成されており、バルコニー等の露天床部４に埋設施工されている。ここで、前記受皿部２は、露天床部４の上面に露出される一方、排水管部３は、露天床部４に下方を開放して形成された樋管の挿通孔５内に位置するように配置されており、該排水管部３の外周面を、後述の継手管８の流入側端部９が外嵌される被嵌合周面３’としている。また、前記挿通孔５の内周面には、ドレイン本体１の露天床部４への埋設施工時に該ドレイン本体１をコンクリート型枠上に支持するために使用された筒状スペーサ６が残留しており、該筒状スペーサ６によって挿通孔５の内周面が覆われている。
【００１３】
７は、本発明にかかるルーフドレイン用仮設排水ホースの連結装置を示す。８は、該連結装置７を構成する継手管であって、該継手管８は、その上部の流入側端部９から、その下部の流出側端部１０に至るに従って次第に径小となるテーパ状に形成されている。この継手管８の流入側端部９の内周には、前記ドレイン本体１の排水管部３に外嵌し得る大きさの環状溝１１ａが形成されており、該環状溝１１ａ内に、内周面に複数の環状舌片１２が突成された環状パッキン１３が嵌装されている。該環状パッキン１３は、ゴム，軟質合成樹脂等の適宜の弾性を備えた素材によって形成されており、該素材として特に耐候性、耐久性、耐薬品性等に優れたクロロプレンが好適に使用され得る。また、継手管８は、流入側端部９をドレイン本体１の排水管部３に外嵌した状態において、流出側端部１０が前記露天床部４の下方に突出する適宜の長さに設定されている。
【００１４】
また、継手管８の流出側端部１０は、仮設排水ホース１４を外嵌し得る嵌合端１５となっている。該嵌合端１５は、継手管８のテーパ形状に連続してその流出側に至るに従って次第に径小となるように形成されており、また、該嵌合端１５の外周面には、図３に示すように、継手管８の軸線方向に沿う波状の凹凸面１６が形成されている。
【００１５】
前記嵌合端１５には仮設排水ホース１４が外嵌され、該仮設排水ホース１４が緊締バンド１７によって止着される。ここで、嵌合端１５は、上記のようにその流出側に至るに従って次第に径小となるように形成されていることにより、径の異なる種々の仮設排水ホース１４を外嵌し得るとともに、その外周面に形成されている波状の凹凸面１６によって、仮設排水ホース１４の外嵌時における水密性を高め、かつ該仮設排水ホース１４の抜け止め作用を高める得るようになっている。
【００１６】
かかる構成にあって、図１に示すように、継手管８の流出側端部１０の嵌合端１５に予め仮設排水ホース１４を外嵌し、緊締バンド１７によって止着した状態で、継手管８の流入側端部９をルーフドレインの排水管部３に外嵌すると、該流入側端部９に嵌装されている環状パッキン１３が環状舌片１２の弾性変形を介して排水管部３の被嵌合周面３’に密嵌されて継手管８が保持される。これにより、継手管８を排水管部３に嵌合するだけで、該継手管８を介して仮設排水ホース１４を排水管部３に簡単に装着することができる。
【００１７】
尚、仮設排水ホース１４は、上記のように継手管８の嵌合端１５に予め取り付けることなく、継手管８のみを排水管部３に外嵌し、然る後、その嵌合端１５に仮設排水ホース１４を取り付けることもできる。この場合でも、継手管８の嵌合端１５が露天床部４の下方に突出しているため、その取り付けを容易に行うことができる。
【００１８】
また、この装着状態にあって、継手管８の流入側端部９をルーフドレインの排水管部３から引き抜くことにより、環状パッキン１３の弾性変形を介して排水管部３から継手管８が外れ、該継手管３とともに仮設排水ホース１４を簡単に取り外すことができる。
【００１９】
図４は第２の実施例を示し、この実施例は、排水管部３の内周に樋管螺着用の雌螺子１８が形成されているルーフドレインに適用する仮設排水ホースの連結装置７の構成を示すものであって、継手管８の流入側端部９の外周には、前記排水管部３に内嵌し得る大きさの環状溝１１ｂが形成されており、該環状溝１１ｂ内に、外周面に複数の環状舌片１２が突成された環状パッキン１３が嵌装されている。また、前記排水管部３の雌螺子１８を、継手管８の流入側端部９が内嵌される被嵌合周面３’としている。その他の構成は、第１実施例と同様であり、同一部分には同一符合を付して重複する説明を省略する。
【００２０】
かかる構成にあって、図４に示すように、ルーフドレインの排水管部３に、継手管８の流入側端部９を内嵌することにより、該流入側端部９に嵌装されている環状パッキン１３が環状舌片１２の弾性変形を介して排水管部３の被嵌合周面３’に密嵌されて継手管８が保持される。ここで、該継手管８の流出側端部１０の嵌合端１５に外嵌される仮設排水ホース１４は、予め該嵌合端１５に取り付けておくことができるため、上記のように継手管８を排水管部３に嵌合するだけで、該継手管８を介して仮設排水ホース１４をルーフドレインの排水管部３に簡単に装着することができる。また、この装着状態にあって、継手管８の流入側端部９を排水管部３から引き抜くことにより、該継手管８とともに仮設排水ホース１４を簡単に取り外すことができる。
【００２１】
図５は、第３の実施例を示し、この実施例におけるルーフドレインのドレイン本体１は、断面Ｌ形の受皿部２と該受皿部２に連成されて側方に延出された排水管部３とを備えてなる横引きドレイン用として構成されており、バルコニー等の露天床部４の隅に埋設施工されている。前記排水管部３は露天床部４から立上がる側壁４’に外側方を開放して形成された樋管の挿通孔５’内に位置するように配置されている。該排水管部３の内周には、樋管螺着用の雌螺子１８が形成されており、該雌螺子１８を、継手管８の流入側端部９が内嵌される被嵌合周面３’としている。
【００２２】
一方、仮設排水ホースの連結装置７を構成する継手管８は、雨水の自然流下が可能なように、流出側端部１０が流入側端部９より低位となるように形成されている。また、継手管８の流入側端部９の外周には、前記排水管部３に内嵌し得る大きさの環状溝１１ｂが形成されており、該環状溝１１ｂ内に、外周面に複数の環状舌片１２が突成された環状パッキン１３が嵌装されている。その他の構成は、第１実施例と同様であり、同一部分には同一符合を付して重複する説明を省略する。
【００２３】
かかる構成にあって、図５に示すように、ルーフドレインの排水管部３に、継手管８の流入側端部９を内嵌することにより、該流入側端部９に嵌装されている環状パッキン１３が環状舌片１２の弾性変形を介して排水管部３の被嵌合周面３’に密嵌されて継手管８を保持することができる。これにより、該継手管８の嵌合端１５に取り付けられる仮設排水ホース１４をルーフドレインの排水管部３に簡単に装着することができる。また、継手管８の流入側端部９を排水管部３から引き抜くことにより、該継手管８とともに仮設排水ホース１４を簡単に取り外すことができる。
【００２４】
尚、上記各実施例では、継手管８を、その流入側端部９から流出側端部１０に至るに従って次第に径小となるテーパ状に形成するようにしているが、このテーパ形状を、流出側端部１０の嵌合端１５部分にのみ形成するようにして、径の異なる仮設排水ホース１４の取り付けに対応させるようにしてもよい。また、環状パッキン１３は、その弾性変形を介して排水管部３の被嵌合周面３’に密嵌し得るものであれば環状舌片１２を有しないものであってもよい。
【００２５】
【発明の効果】
本発明は上述のように、露天床部４に埋設施工されたルーフドレインの排水管部３に外嵌又は内嵌される継手管８の流入側端部９に、前記排水管部３の被嵌合周面３’に密嵌される環状パッキン１３を嵌装する一方、前記継手管８の流出側端部１０を仮設排水ホース１４が外嵌される嵌合端１５とした仮設排水ホースの連結装置であるから、継手管８をルーフドレインの排水管部３に嵌合するだけで、該継手管３を介して仮設排水ホース１４を排水管部３に簡単に装着することができるととももに、継手管８を排水管部３から引き抜くだけで、該継手管８とともに仮設排水ホース１４を簡単に取り外すことができる。これにより、排水管部３に対する仮設排水ホース１４の着脱が容易となり、その作業性を向上させることができる。
【００２６】
また、前記継手管８の嵌合端１５を、その流出側に至るに従って次第に径小となるテーパ状に形成することにより、該嵌合端１５に径の異なる仮設排水ホース１４を取り付けることができ、さらに、前記継手管８の嵌合端１５の外周面に、継手管８の軸線方向に沿う波状の凹凸面１６を形成することにより、仮設排水ホース１４の外嵌時における水密性及び抜け止め作用を高め得る等の優れた効果がある。
【図面の簡単な説明】
【図１】本発明にかかる連結装置の第１実施例の使用状態を示す縦断面図である。
【図２】第１実施例の連結装置の縦断面図である。
【図３】嵌合端の凹凸面を示す部分断面図である。
【図４】本発明にかかる連結装置の第２実施例の使用状態を示す縦断面図である。
【図５】本発明にかかる連結装置の第３実施例の使用状態を示す縦断面図である。
【図６】従来構成を示す縦断面図である。
【符号の説明】
２  受皿部
３  排水管部
３’被嵌合周面
４  露天床部
７  連結装置
８  継手管
９  流入側端部
１０  流出側端部
１３  環状パッキン
１４  仮設排水ホース
１５  嵌合端
１６  凹凸面
【図１】
0003929597.tif 000002
【図２】
0003929597.tif 000003
【図３】
0003929597.tif 000004
【図４】
0003929597.tif 000005
【図５】
0003929597.tif 000006
【図６】
0003929597.tif 000007